(57)【要約】【課題】ラッチボルト係止位置の調整作業が簡単で、かつその頻度が少なくてすむドア用錠受を提供することである。【解決手段】ドア枠Ｂに取り付けられる取付ボックス１を弾性部材としての合成樹脂で形成し、円板形でその偏心位置に突軸１４を有するカム３を、スライドボックス２の底板１１裏面側に突軸１４のまわりに回動自在に取り付けて取付ボックス１の両側板６と係合させ、このカム３の外周部と取付ボックス１の両側板６内面に互いに噛み合う係止歯３ａ、６ａを設けることにより、ドア開閉時の衝撃や振動程度の外力ではカム３が回動しにくいようにして、ラッチボルトＣ係止位置調整作業の頻度を減らすとともに、その調整作業を行うときには、取付ボックス１の弾性を利用して人手でカム３を回動させるだけで、簡単にスライドボックス２のドア開閉方向位置を調整できるようにしたのである。【選択図】図２
2008106496.tif 000002
【特許請求の範囲】
【請求項１】
ドアの側端面に対して開口する状態でドア枠に取り付けられる取付ボックスと、前記ドアの側端面から突出するラッチボルトを受け入れる受入部を有し、前記取付ボックス内にドア開閉方向に移動可能に保持されるスライドボックスと、前記スライドボックスの底板の貫通孔に嵌まり込む突軸を有し、スライドボックスの底板の裏面側に前記突軸のまわりに回動自在に取り付けられて前記取付ボックスと係合するカムとを備え、前記カムを回動させることによりスライドボックスのドア開閉方向位置調整が行われるようにしたドア用錠受において、前記取付ボックスの両側板の少なくとも一方を弾性部材で形成するとともに、前記カムを、円板形でその偏心位置に前記突軸を有し、外周部で前記取付ボックスの両側板と係合するものとし、前記カムの外周部と前記取付ボックスの両側板内面に互いに噛み合う係止歯を設けたことを特徴とするドア用錠受。
【請求項２】
前記取付ボックスの底板内面とこれに対向する前記カムの裏面の一方に突起を設け、他方にこの突起と係合してカムの回動に伴う前記スライドボックスの平行移動の方向をドア開閉方向に規制する係合溝を設けたことを特徴とする請求項１に記載のドア用錠受。
【発明の詳細な説明】
【技術分野】
【０００１】
本発明は、ドアのラッチボルトの係止位置をドア開閉方向に調整できるドア用錠受に関する。
【背景技術】
【０００２】
一般的な片開き式のドアは、その側端面から突出するラッチボルトを有し、このラッチボルトをドア枠に取り付けた錠受で係止されて、閉じた状態を保持されるようになっているものが多い。このドアの保持に用いられる錠受には、取付後のドアやドア枠の変形等により、ドア開閉時にラッチボルトが錠受にスムーズに出入りしなくなったり、閉じたドアが風圧等でがたつくようになったりしたときに、ラッチボルトの係止位置をドア開閉方向に調整できるようにしたものがある（例えば、特許文献１参照。）。
【特許文献１】実公平６−１００５３号公報
【０００３】
上記特許文献１に記載されたドア用錠受は、取付ボックスの凹入部に、ラッチボルトを受け入れて係止するスライドボックスをドア開閉方向に移動可能に保持し、このスライドボックスの底板の裏面側に回動可能に取り付けたカムを取付ボックス内面の突起に当接させ、カムを回動させることによりスライドボックスをドア開閉方向に移動させてラッチボルト係止位置を調整するもので、移動させたスライドボックスのフランジをドア枠にねじ止めされる表面プレートで押え込んで、スライドボックスを調整位置に固定している。
【０００４】
しかしながら、上記ドア用錠受においてラッチボルト係止位置の調整を行う際には、表面プレート取付用のネジを一旦緩めてスライドボックスを移動させた後、再びそのネジを締め付ける必要があるうえ、カムと取付ボックスとの係合が一箇所でしか行われていないため、ネジを締め付けるときにカムが回動してスライドボックスの位置が変化してしまい、調整作業を何度もやり直さねばならなくなる場合がある。一方、ネジ締付時のカムの回動を防ぐためにネジの締め付けを弱めにすると、ドア開閉時の衝撃や振動等によってカムが回動しやすくなり、頻繁に調整作業が必要となるおそれがある。
【発明の開示】
【発明が解決しようとする課題】
【０００５】
本発明の課題は、ラッチボルト係止位置の調整作業が簡単で、かつその頻度が少なくてすむドア用錠受を提供することである。
【課題を解決するための手段】
【０００６】
上記の課題を解決するために、本発明は、ドアの側端面に対して開口する状態でドア枠に取り付けられる取付ボックスと、前記ドアの側端面から突出するラッチボルトを受け入れる受入部を有し、前記取付ボックス内にドア開閉方向に移動可能に保持されるスライドボックスと、前記スライドボックスの底板の貫通孔に嵌まり込む突軸を有し、スライドボックスの底板の裏面側に前記突軸のまわりに回動自在に取り付けられて前記取付ボックスと係合するカムとを備え、前記カムを回動させることによりスライドボックスのドア開閉方向位置調整が行われるようにしたドア用錠受において、前記取付ボックスの両側板の少なくとも一方を弾性部材で形成するとともに、前記カムを、円板形でその偏心位置に前記突軸を有し、外周部で前記取付ボックスの両側板と係合するものとし、前記カムの外周部と前記取付ボックスの両側板内面に互いに噛み合う係止歯を設けた構成を採用した。
【０００７】
すなわち、取付ボックスの両側板の少なくとも一方を弾性部材で形成し、円板形でその偏心位置に突軸を有するカムを、スライドボックスの底板裏面側に突軸のまわりに回動自在に取り付けて取付ボックスの両側板と係合させ、このカムの外周部と取付ボックスの両側板内面に互いに噛み合う係止歯を設けることにより、ドア開閉時の衝撃や振動程度の外力ではカムが回動しにくいようにして、ラッチボルト係止位置調整作業の頻度を減らすとともに、その調整作業を行うときには、従来のようにスライドボックスを固定するためのネジを緩めたり再度締め付けたりする必要がなく、取付ボックスの弾性を利用して人手でカムを回動させるだけで、簡単にスライドボックスのドア開閉方向位置を調整できるようにしたのである。
【０００８】
また、前記取付ボックスの底板内面とこれに対向する前記カムの裏面の一方に突起を設け、他方にこの突起と係合してカムの回動に伴う前記スライドボックスの平行移動の方向をドア開閉方向に規制する係合溝を設ければ、人手でカムを回動させたときに、スライドボックスがスムーズにドア開閉方向に移動するようになる。
【発明の効果】
【０００９】
本発明のドア用錠受は、上述したように、取付ボックスの両側板の少なくとも一方を弾性部材で形成し、ラッチボルト係止位置の調整作業を行うときに回動させるカムを、取付ボックスの両側板と係合させ、その係合部に互いに噛み合う係止歯を設けて、ドア開閉時の衝撃や振動等によるカムの回動を防止する一方、人手によるカムの回動は可能な構造としたものであるから、調整作業の頻度が少なくてすむうえ、調整作業を行う際には人手でカムを回動させるだけでよく、従来のようなネジの締め付けに伴う調整作業のやり直しをなくすことができる。
【発明を実施するための最良の形態】
【００１０】
以下、図１乃至図５に基づき、この発明の実施形態を説明する。このドア用錠受は、図１乃至図３に示すように、ドアＡの側端面に対して開口する状態でドア枠Ｂに取り付けられる取付ボックス１と、ドアＡの側端面から突出するラッチボルトＣを受け入れる受入部２ａを有するスライドボックス２と、スライドボックス２に回動自在に取り付けられて取付ボックス１と係合するカム３と、ラッチボルトＣを通す窓４ａを有する表面プレート４とからなる。取付ボックス１は弾性部材としての合成樹脂で形成されており、スライドボックス２は取付ボックス１と同じ合成樹脂で、カム３は取付ボックス１よりも強度の高い合成樹脂で形成されている。また、表面プレート４は金属製である。
【００１１】
前記取付ボックス１は、上下の端板５、左右の側板６および底板７を有し、これらの部材により略矩形の凹入部１ａが形成されている。そして、各端板５の前縁から凹入部１ａの外側へ張り出す取付板８に取付孔８ａがあけられ、この取付孔８ａに通されるネジ（図示省略）で表面プレート４とともにドア枠Ｂに固定されるようになっている。また、両側板６の内面の互いに対向する位置には、複数の三角形状の凹凸を上下方向に並べた係止歯６ａが設けられ、その一方の係止歯６ａの周囲の三方を囲むように、一方の側板６から底板７の一側部にかけてコの字形の切欠き６ｂが設けられている。さらに、底板７の内面には、後述するようにカム３と係合する突起７ａおよび係合溝７ｂが設けられている。
【００１２】
前記スライドボックス２は、その受入部２ａが上下の端板９、左右の側板１０および底板１１で形成されており、各側板１０の前縁から受入部２ａの外側へフランジ１２、１３が張り出している。そして、両端板９の外面間距離が取付ボックス１の両端板５の内面間距離とほぼ同じで、両側板１０の外面間距離が取付ボックス１の両側板６の内面間距離よりも小さく形成され、フランジ１２、１３を除く部分が取付ボックス１の凹入部１ａに入り込んだ状態で、左右方向（ドア開閉方向）に移動可能に保持されている。また、一方のフランジ１２の表面には矩形の突部１２ａが、底板１１には円形の貫通孔１１ａがそれぞれ設けられている。
【００１３】
前記カム３は、円板形で、その表面側の偏心位置にスライドボックス２の底板１１の貫通孔１１ａに嵌まり込む突軸１４を有しており、スライドボックス２の底板１１の裏面側に突軸１４のまわりに回動自在に取り付けられる。突軸１４には、ドライバ（図示省略）の先端部と係合する十字状の溝１４ａが設けられている。また、円板形本体部は、外径が取付ボックス１の両側板６の内面間距離よりもわずかに大きく形成され、取付ボックス１の両側板６間に圧入されて、その両側板６と外周部で係合するようになっている。この本体部の外周部には、取付ボックス１の両側板６の係止歯６ａと噛み合う係止歯３ａが設けられている。また、本体部裏面には取付ボックス底板７の係合溝７ｂと係合する突起３ｂが設けられ、取付ボックス底板７の突起７ａと係合する係合溝３ｃが本体部を貫通するように設けられている。
【００１４】
前記表面プレート４は、その窓４ａの一側部にスライドボックス２のフランジ１２の突部１２ａが嵌まり込むガイド部４ｂが形成され、スライドボックス２の左右方向移動を円滑にガイドできるようになっている。また、上下の窓縁部には、取付ボックス１の各取付板８の取付孔８ａと対応する位置に、前記取付用ネジが通される取付孔４ｃがあけられ、各取付孔４ｃの周縁から裏面側に突出する環状突部４ｄが形成されている。
【００１５】
このドア用錠受は、上記の構成であり、カム３を取り付けたスライドボックス２を取付ボックス１の凹入部１ａに装着して、その表面側に表面プレート４を重ね、取付ボックス１の取付孔８ａに表面プレート４の環状突部４ｄを圧入することにより、図２および図３に示したように組み立てられる。このとき、取付ボックス１の取付板８と表面プレート４とは密着するが、スライドボックス２の各フランジ１２、１３は、取付ボックス１の各側板６の前縁部と表面プレート４との間にわずかな隙間をもって挟まれる。従って、前記取付用ネジを表面プレート４および取付ボックス１の取付孔４ｃ、８ａに通してドア枠Ｂにねじ込んだ状態でも、スライドボックス２は表面プレート４に押さえ込まれることなく、左右方向移動可能に保持される。
【００１６】
そして、図２および図３の状態でドライバの先端部をカム３の突軸１４の溝１４ａに係合させ、図４（ａ）に示すように、ドライバを操作してカム３を突軸１４のまわりに（この場合は右回りに）回動させることにより、図４（ｂ）に示すように、スライドボックス２が左右に（この場合は左方向に）移動するようになっている。また、図４とは逆に、図５（ａ）に示すようにカム３を左回りに回動させれば、図５（ｂ）に示すようにスライドボックス２は右方向に移動する。
【００１７】
ここで、カム３と取付ボックス１とはそれぞれの係止歯３ａ、６ａを互いに噛み合わせた状態で係合しているが、人手でカム３に回動トルクを与えると、主として取付ボックス１の切欠き６ｂに三方を囲まれた部位がわずかに撓むことにより、カム３が回動してスライドボックス２が左右に移動するようになる。
【００１８】
また、取付ボックス１の係合溝７ｂはカム３の突起３ｂと、カム３の係合溝３ｃは取付ボックス１の突起７ａとそれぞれ係合して、カム３の回動に伴うスライドボックス２の平行移動の方向を左右方向に規制するようになっている。
【００１９】
従って、この錠受でラッチボルトＣ係止位置の調整作業を行う際には、人手でカム３を回動させるだけで、スライドボックス２をスムーズに左右に移動させることができる。また、ラッチボルトＣ係止位置の調整を行った後は、前述のようにカム３と取付ボックス１とがそれぞれの係止歯３ａ、６ａで係合しているので、ドア開閉時の衝撃や振動等によるカム３の回動は生じにくい。このため、調整作業の頻度が少なくてすむし、従来のようにスライドボックスをネジ等で調整位置に固定する必要がないので、調整作業に手間がかからない。
【００２０】
なお、従来のドア用錠受では、カムを取付ボックスの突起と係合させるために、スライドボックスを介してカムを突起のある方向へ付勢するバネが組み込まれているが、本発明では、このようなバネを必要としないので、部品点数の面でも従来のものよりも有利である。
【００２１】
次に、本発明の効果を確認するために実施した実験について説明する。実験では、試験体として、上述した実施形態の錠受（実施例）と従来タイプの錠受（比較例）を２個ずつ準備した。なお、比較例には、前述した従来のものをベースとして、多角形状で直接取付ボックスの一側板内面に係合するカムを組み込んだものを使用した。各試験体は、まず、試験機の模擬ドア枠に取り付け、スライドボックスを取付ボックス内のドア開閉方向中間位置にセットした。このとき、比較例では、スライドボックスの位置調整のやり直しが必要ない程度の強さで表面プレート取付用ネジを締め付け、スライドボックスを固定した。そして、各試験体に対して、ラッチボルトを備えた模擬ドアを２０回／分の速度で２０万回繰り返し開閉して、スライドボックスのドア開閉方向移動量を測定した。その結果を表１に示す。
【００２２】
【表１】
2008106496.tif 000003
【００２３】
表１からわかるように、比較例は、実験の初期段階（ドア開閉回数約２万回まで）で、スライドボックスが取付ボックスの一側板に当接するまで移動してしまったが、実施例では、実験終了までわずかな移動量で推移した。このことから、本発明のドア用錠受では、長期間にわたってラッチボルト係止位置の調整を行うことなく、安定して使用できることが確認された。
【図面の簡単な説明】
【００２４】
【図１】実施形態の錠受の分解斜視図
【図２】図１の錠受の正面図
【図３】図２のIII−III線に沿った断面図
【図４】ａ、ｂは、図１のスライドボックスの位置調整（左方向移動）の説明図
【図５】ａ、ｂは、図１のスライドボックスの位置調整（右方向移動）の説明図
【符号の説明】
【００２５】
１  取付ボックス
２  スライドボックス
２ａ  受入部
３  カム
３ａ  係止歯
３ｂ  突起
３ｃ  係合溝
４  表面プレート
６  側板
６ａ  係止歯
６ｂ  切欠き
７  底板
７ａ  突起
７ｂ  係合溝
１１  底板
１１ａ  貫通孔
１４  突軸
Ａ  ドア
Ｂ  ドア枠
Ｃ  ラッチボルト
【図１】
2008106496.tif 000004
【図２】
2008106496.tif 000005
【図３】
2008106496.tif 000006
【図４】
2008106496.tif 000007
【図５】
2008106496.tif 000008